(57)【要約】【課題】携帯端末と汎用端末とを連携させて情報取得を可能にする。【解決手段】携帯端末から宛先アドレスと情報識別子と発信アドレスとからなり本文の無いいわゆる空メールを受信すると、個人情報テーブルを検索して、前記発信アドレスに対応付けられた汎用受信アドレスを検索し、次に配信情報テーブルを検索して前記情報識別子に対応付けられた情報配信アドレスを検索して索出された汎用受信アドレスに対して前記情報配信アドレスを通知する電子メールを生成しこれを送信するようにした。この結果、携帯端末をいわばメモ代わりにして、外出先の街中や雑誌に記載された商品やサービスに関する宛先アドレスと情報識別子を送信しておくだけで後から職場や自宅の汎用端末で処理サーバからのメールを受信し、このメール中の情報配信アドレス（ＵＲＬ）をアクセスすることで詳細な情報を入手することができる。【選択図】　　図１
2004021417.tif 000002
【特許請求の範囲】
【請求項１】
処理サーバにおいて、携帯端末から宛先アドレスと、情報識別子と、発信アドレスとを受信し、
個人情報テーブルを検索し、前記発信アドレスに対応付けられた汎用受信アドレスを検索し、
配信情報テーブルを検索し、前記情報識別子に対応付けられた情報配信アドレスを検索し、
索出された汎用受信アドレスに対して前記情報配信アドレスを通知する電子メールを生成し、
汎用端末が前記情報配信アドレスを指定して所定の配信情報を受信できるように前記電子メールを送信する、
携帯端末と汎用端末とを連動させた情報提供方法。
【請求項２】
前記個人情報テーブルを検索した際に、前記発信アドレスに対応付けられた汎用受信アドレスが存在しないときには、
前記発信アドレスに対して、汎用アドレスの入力を促す電子メールを生成・発信し、
前記電子メールに基づいて汎用アドレスが入力されたときには、前記個人情報テーブルに登録する請求項１記載の携帯端末と汎用端末とを連動させた情報提供方法。
【請求項３】
携帯端末から宛先アドレスと、情報識別子と、発信アドレスとを含む電子メールを受信する処理サーバであって、
前記発信アドレスと汎用受信アドレスとを対応付けて登録した個人情報テーブルと、
前記情報識別子と情報配信アドレスとを対応付けて登録した配信情報テーブルと、
前記汎用受信アドレスに対して情報配信アドレスを通知する電子メール生成手段とからなる処理サーバ。
【請求項４】
処理サーバにおいて、携帯端末から宛先アドレスと、情報識別子と、発信アドレスとを受信するステップと、
個人情報テーブルを検索し、前記発信アドレスに対応付けられた汎用受信アドレスを検索するステップと、
配信情報テーブルを検索し、前記情報識別子に対応付けられた情報配信アドレスを検索するステップと、
索出された汎用受信アドレスに対して前記情報配信アドレスを通知する電子メールを生成するステップと、
汎用端末が前記情報配信アドレスを指定して所定の配信情報を受信できるように前記電子メールを送信するステップとを実行するコンピュータ実行可能なプログラム。
【請求項５】
処理サーバにおいて、携帯端末から宛先アドレスと、情報識別子と、発信アドレスとを受信するステップと、
個人情報テーブルを検索し、前記発信アドレスに対応付けられた汎用受信アドレスを検索するステップと、
配信情報テーブルを検索し、前記情報識別子に対応付けられた情報配信アドレスを検索するステップと、
索出された汎用受信アドレスに対して前記情報配信アドレスを通知する電子メールを生成するステップと、
汎用端末が前記情報配信アドレスを指定して所定の配信情報を受信できるように前記電子メールを送信するステップとからなるプログラムを記憶したコンピュータ実行可能な記憶媒体。
【発明の詳細な説明】
【０００１】
【発明の属する技術分野】
本発明は、携帯端末と汎用の通信端末とを連動させて情報提供方法に関する。
【０００２】
【従来の技術】
ネットワーク接続機能を有する携帯電話等の携帯端末を用いた情報配信システムとしては、街角や雑誌上に表示・印刷されたＵＲＬ（Ｕｎｉｆｏｒｍ　Ｒｅｓｏｕｒｃｅ　Ｌｏｃａｔｏｒ）と呼ばれるアドレスに基づいて携帯端末上からインターネット等の汎用ネットワークにアクセスし、当該ＵＲＬを指定することにより所定の情報を携帯端末の表示部に表示させるものが一般的だった。
【０００３】
しかし、携帯端末は表示情報量が限られており、携帯端末向けに作成された限られた情報しか閲覧できないため、わずかな広告情報を提供することしかできなかった。
【０００４】
一方、インターネットに接続可能なパーソナルコンピュータ等の汎用端末は情報表示量は大きいものの、室内での使用が殆どであるため、外出先で見かけた商品やサービスの情報を閲覧したいと思った場合には、外出先でメモしておいたＵＲＬや商品名を頼りに検索サイトにアクセスして当該商品やサービスの情報を探すしか無かった。
【０００５】
【発明が解決しようとする課題】
以上述べたように、携帯端末は可搬性に優れ、外出先のその場での情報取得に有効ではあるものの、少ない情報しか得ることができないという問題があり、汎用端末は取得できる情報量は多いものの、外出先で見かけた商品やサービスの情報を詳細に調べようとする際の検索柔軟性に欠けていた。
【０００６】
本発明は、前記課題に鑑みてなされたものであり、可搬性のある携帯端末と多量の情報取得が可能な汎用端末を連携させることにより、外出先で入手した情報を再検索する手間なく家庭や職場で閲覧できるシステムを実現することを技術的課題とする。
【０００７】
【課題を解決するための手段】
本発明は、携帯端末から宛先アドレスと情報識別子と発信アドレスとからなり本文の無いいわゆる空メールを受信すると、個人情報テーブルを検索して、前記発信アドレスに対応付けられた汎用受信アドレスを検索し、次に配信情報テーブルを検索して前記情報識別子に対応付けられた情報配信アドレスを検索して索出された汎用受信アドレスに対して前記情報配信アドレスを通知する電子メールを生成しこれを送信するようにしたものである。
【０００８】
このように個人情報テーブルを持たせて携帯端末の発信アドレスと、汎用端末の汎用受信アドレスとを対応付けることによって携帯端末からわずかな情報（宛先アドレスと情報識別子）のみを入力しておけば、後から汎用端末を介して詳細な情報を取得することができるようになる。
【０００９】
また、処理サーバ側で前記個人情報テーブルを検索した際に、前記発信アドレスに対応付けられた汎用受信アドレスが存在しないときには、前記発信アドレスに対して、汎用アドレスの入力を促す電子メールを生成・発信するようにした。このようにすることで発信アドレスと汎用受信アドレスの対応付けを携帯端末からも行うことができる。
【００１０】
以上のように、本発明は携帯端末をいわばメモ代わりにして、外出先の街中や雑誌に記載された商品やサービスに関する宛先アドレスと情報識別子を送信しておくだけでよい。そして、後で職場や自宅の汎用端末で処理サーバからのメールを受信し、このメール中の情報配信アドレス（ＵＲＬ）をアクセスすることで詳細な情報を入手することができる。
【００１１】
【発明の実施の形態】
以下、図面に基づいて、本発明の実施の形態を説明する。
【００１２】
図１は、本発明の実施形態におけるサービスの概念を説明するための図である。
【００１３】
本発明は、同図に示すように外出先の街中や雑誌で見つけた商品やサービスの情報について、ＵＲＬとともに付記されている宛先と、タイトルとを携帯端末のメール送信画面で入力し、本文に何も入力しない状態でメールを送信する。このとき、当該携帯端末からのメールを処理する処理サーバは、携帯端末会社（キャリア）毎に用意しておくことが好ましい。
【００１４】
すなわち、携帯端末を用いたメールシステムの場合、同一キャリアに属する携帯端末間でのメール送信に際しては、送信者は宛先アドレスとしてドメインネームを省略することができる。たとえば、宛先アドレスが「ａｄ３４＠ａｂｃ．ｎｅ．ｊｐ」である場合、受信側の端末（ここでは処理サーバ）が当該キャリアに属する携帯端末からのメールのみを受信する機能を有している場合、「＠ａｂｃ．ｎｅ．ｊｐ」を省略することができ、簡単な宛先文字「ａｄ３４」のみでメールを送信することができる。
【００１５】
また、タイトル（題名）は情報識別子を意味する文字（ここでは「１２３」）を入力すればよい。この情報識別子は、数桁乃至十数桁の文字、数字、記号の組み合わせであり、情報提供者が任意に決めることができる。
【００１６】
また、ユーザは当該メールには本文は何も入力する必要は無い。
【００１７】
処理サーバは、汎用のコンピュータシステムで構成することができるが、前記ドメインを省略したメールを受信するためには、前記キャリアサーバに専用回線で接続されていることが好ましい。
【００１８】
処理サーバは、コンピュータシステムとして図示しない中央処理装置を中心に、メモリ、ハードディスク装置、キーボードやＣＲＴ等の入出力装置を有している。この中で、ハードディスク装置にはサーバプログラムとともに、本実施形態の機能を実現するための各種プログラムならびに、データベース（ＤＢ）が構築されている。データベース（ＤＢ）には図５に示すように（Ａ）個人情報テーブルと（Ｂ）ＵＲＬ情報テーブルとが設けられている。個人情報テーブルには、携帯端末メールアドレスとＰＣメールアドレス（汎用端末用メールアドレス）とが対応付けられて登録されている。ＵＲＬ情報テーブルには、情報識別子（ＵＲＬナンバー）と情報配信元アドレス（ＵＲＬ）とが対応付けられている。
【００１９】
ユーザは、当該サービスを利用する前に、汎用端末（ＰＣ）から当該処理サーバにアクセスし、図４に示す画面を通じて携帯端末のメールアドレスとＰＣメールアドレスとを登録しておくことができる。なお、個人情報テーブルはＰＣメールアドレスを予め登録しておかなくても後述の方法で携帯端末からも登録が可能となっている。
【００２０】
携帯端末からの前記メールを受信した処理サーバは、当該メール中から宛先アドレス（ここでは「ａｄ３４」、正確には「ａｄ３４＠ａａａ．ｎｅ．ｊｐ」）を識別し、自身の管轄している情報に関する取得要求であることを認識する。
【００２１】
次に、前記メールの発信情報（メールに記述されたｆｒｏｍタグ）を解析して発信メールアドレス（ここでは「ａａａ＠ａｂｃ．ｎｅ．ｊｐ」）を識別する。
【００２２】
そしてこの発信アドレスを検索キーにしてデータベース（ＤＢ）の個人情報テーブルを参照し、ＰＣメールアドレス（汎用端末用のアドレス）を検索する。
【００２３】
ここで図５に示すように携帯メールアドレス（発信メールアドレス：ａａａ＠ａｂｃ．ｎｅ．ｊｐ）に対応するＰＣメールアドレス（ＡＡＡ＠ｘｘｘ．ｎｅ．ｊｐ）が索出された場合には、次に受信した情報識別子に基づいてＵＲＬ情報テーブルを検索する。
【００２４】
図１の例の場合、情報識別子（メールのタイトル）として「１２３」が指定されている。この「１２３」をキーにＵＲＬ情報テーブルを検索し、情報配信のためのＵＲＬである「ｈｔｔｐ：／／ｗｗｗ．ａｂｃｄｅｆｇｈ．ｃｏ．ｊｐ／ｘｘｘ／」を得る。
【００２５】
次に処理サーバは、前記ＰＣメールアドレス（ＡＡＡ＠ｘｘｘ．ｎｅ．ｊｐ）に対して本文に前記ＵＲＬ（ｈｔｔｐ：／／ｗｗｗ．ａｂｃｄｅｆｇｈ．ｃｏ．ｊｐ／ｘｘｘ／）を記載した電子メールを生成し、当該電子メールを送信する。
【００２６】
自宅または職場に戻ったユーザは、自身の汎用端末（パーソナルコンピュータ：ＰＣ）からインターネットに接続し、前記処理サーバからの電子メール（ＡＡＡ＠ｘｘｘ．ｎｅ．ｊｐ宛）を受信する。そして受信した電子メールに記載されたＵＲＬ（ｈｔｔｐ：／／ｗｗｗ．ａｂｃｄｅｆｇｈ．ｃｏ．ｊｐ／ｘｘｘ／）に基づいてブラウザ等の閲覧プログラムを起動して前記商品またはサービスについての詳細情報を閲覧する。
【００２７】
なお、処理サーバはユーザから受信したメールの発信メールアドレスに対応するＰＣメールアドレスが索出できない場合、すなわちＰＣメールアドレスが登録されていないことを認識した場合には、前記携帯端末に対してＰＣメールアドレスの登録を促すメールを返信する。ユーザがこの返信メールに応じて自身のＰＣメールアドレスを入力した場合には当該メールアドレスを前記発信メールアドレスに対応付けて個人情報テーブルに登録する。
【００２８】
このように、本実施形態によれば、携帯端末をまるでメモ帳のようにして簡単な宛先（ａｄ３４）とタイトル（情報識別子：１２３）を入力し送信しておくだけで、後から詳細な情報を確実に得ることができ、個人レベルでの情報のチェック漏れを防止できる。また、情報配信主体にとっても、確実に詳細な情報閲覧に結びつくため、興味を持ったユーザを逃すことを防止できるという効果がある。
【００２９】
なお、本実施例では同一キャリアに属する端末間ではドメインを省略した宛先を利用できる点に着目して宛先アドレスの入力を省力化できる例で説明したが、本発明は必ずしもこれに限定されることは無く、携帯端末から宛先としてドメインまでをも含んだフルアドレスを入力させる場合にも有効である。
【発明の効果】
本発明によれば、携帯端末と汎用端末とを連携させることができるため、情報取得要求は携帯端末から簡単な情報送信のみで行わせ、実際の詳細な情報閲覧は汎用端末から行わせるため、興味を持ったユーザに対して確実な詳細情報の閲覧を可能にさせることができる。
【図面の簡単な説明】
【図１】本発明の実施形態のサービス概念図
【図２】実施形態のサービス処理手順図
【図３】携帯端末と処理サーバと汎用端末との処理手順図
【図４】汎用端末上でのアドレス登録画面
【図５】データベースのテーブル構成図
【図１】
2004021417.tif 000003
【図２】
2004021417.tif 000004
【図３】
2004021417.tif 000005
【図４】
2004021417.tif 000006
【図５】
2004021417.tif 000007